(57)【要約】【課題】ユーザが録画の失敗等の問題箇所の特定を容易に行うことができるようにすることを目的とする。【解決手段】録画設定情報を取得する取得手段と、前記取得手段により取得された前記録画設定情報に基づいて、配信される映像の録画データの有無の妥当性を判定する判定手段と、前記判定手段による判定の結果を、表示画面上に表示させる表示制御手段と、有する。【選択図】図１０
2017011620.tif 000002
【特許請求の範囲】
【請求項１】
録画設定情報を取得する取得手段と、
前記取得手段により取得された前記録画設定情報に基づいて、配信される映像の録画データの有無の妥当性を判定する判定手段と、
前記判定手段による判定の結果を、表示画面上に表示させる表示制御手段と、
を有する録画システム。
【請求項２】
前記判定手段は、前記取得手段により取得された前記録画設定情報に対応する設定が、配信される映像を設定された期間、録画する設定であるスケジュール録画であり、前記録画データに欠落がある場合、前記欠落を妥当ではないと判定する請求項１記載の録画システム。
【請求項３】
前記表示制御手段は、前記判定手段による判定の結果を、表示画面上に表示する時間軸上に表示させる請求項１又は２記載の録画システム。
【請求項４】
前記判定手段は、前記取得手段により取得された前記録画設定情報に対応する設定が、配信される映像を、録画開始イベントを受信した時刻から録画終了イベントを受信した時刻まで録画する設定であるイベント録画であり、録画開始イベント通知を受けているが、前記録画データに欠落がある場合、前記欠落を妥当ではないと判定する請求項１乃至３何れか１項記載の録画システム。
【請求項５】
前記判定手段は、前記取得手段により取得された前記録画設定情報に対応する設定が、配信される映像を、録画開始イベントを受信した時刻から録画終了イベントを受信した時刻まで録画する設定であるイベント録画であり、通知装置と通信ができない期間に前記録画データに欠落がある場合、前記欠落を、妥当ではない可能性があると判定する請求項１乃至３何れか１項記載の録画システム。
【請求項６】
前記録画データに欠落があり、前記判定手段により前記欠落が妥当ではない可能性があると判定された場合、配信される映像を録画する第１の録画手段を更に有し、
前記表示制御手段は、更に、前記第１の録画手段により録画された映像が録画映像の欠落防止のために録画された映像であることを、前記表示画面上に表示させる請求項１乃至５何れか１項記載の録画システム。
【請求項７】
前記表示制御手段は、更に、前記録画データに欠落があり、前記判定手段により前記欠落が妥当ではない、又は、妥当ではない可能性があると判定された場合、配信される映像を録画するか否かの選択に利用される選択画面を、前記表示画面上に表示させ、
前記表示制御手段により表示された前記選択画面を介して、配信される映像を録画することが選択された場合、配信される映像を録画する第２の録画手段を更に有する請求項１乃至６何れか１項記載の録画システム。
【請求項８】
前記表示制御手段は、前記録画データに欠落があり、前記判定手段により前記欠落が妥当ではない、又は、妥当ではない可能性があると判定された場合、前記表示画面上に前記欠落が発生した期間を強調表示させる請求項１乃至７何れか１項記載の録画システム。
【請求項９】
録画設定情報を取得する取得手段と、
前記取得手段により取得された前記録画設定情報に基づいて、配信される映像の録画データの有無の妥当性を判定する判定手段と、
を有する情報処理装置。
【請求項１０】
前記判定手段による判定の結果を、表示画面上に表示させる表示制御手段を更に有する請求項９記載の情報処理装置。
【請求項１１】
録画システムが実行する情報処理方法であって、
録画設定情報を取得する取得ステップと、
前記取得ステップで取得された前記録画設定情報に基づいて、配信される映像の録画データの有無の妥当性を判定する判定ステップと、
前記判定ステップで判定の結果を、表示画面上に表示させる表示制御ステップと、
を含む情報処理方法。
【請求項１２】
情報処理装置が実行する情報処理方法であって、
録画設定情報を取得する取得ステップと、
前記取得ステップで取得された前記録画設定情報に基づいて、配信される映像の録画データの有無の妥当性を判定する判定ステップと、
を含む情報処理方法。
【請求項１３】
コンピュータを、請求項９又は１０記載の情報処理装置の各手段として機能させるためのプログラム。
【発明の詳細な説明】
【技術分野】
【０００１】
本発明は、録画システム、情報処理装置、情報処理方法及びプログラムに関する。
【背景技術】
【０００２】
近年、ネットワークカメラは、店舗監視のような小規模な監視システムから空港や都市監視のような大規模な監視システムまで、様々な用途で利用されるようになってきている。
このような監視システムは、通常、カメラが撮影した映像を、監視者によるライブでの監視に利用するだけでなく、録画して一定期間蓄積することができる録画システムとしても機能する。映像の録画の方法としては、予め定めたカメラで設定された期間だけ映像を録画するスケジュール録画と、録画システム内で検出したイベントに応じて録画を行うイベント録画の大きく２種類の方法が知られている。
録画システムが大規模化するほど、蓄積される録画映像、録画映像それぞれの録画設定の種類が膨大になり、その把握は、ユーザにとって非常に困難となる。そこで、いつどのカメラでどれくらいの期間録画されているかの把握をユーザにとって容易にするための従来技術として、例えば、特許文献１等に記載のタイムライン表示が知られている。
タイムライン表示とは、録画映像の再生を行う録画映像再生装置が、各カメラについて、タイムラインと呼ばれる時間軸上に、録画映像の開始時刻と終了時刻に応じた録画映像の有無を表現する表示方法である。それによって、ユーザは、視覚的に容易に、各カメラに関する録画映像の有無及び期間を把握することができる。
特許文献１には、タイムライン上に表現された録画映像の有無及び期間に加え、さらに、録画映像の画像サイズ情報やフレームレート情報を表現することで、録画映像の把握性を高める技術が開示されている。
【先行技術文献】
【特許文献】
【０００３】
【特許文献１】特許第４３８３９０９号公報
【発明の概要】
【発明が解決しようとする課題】
【０００４】
しかしながら、特許文献１の方法では、時間軸上での録画データについての問題個所を確認することが容易ではなかった。例えば、特許文献１の方法では、録画映像が欠落している期間が、録画するように設定されていない期間であるか、録画するよう設定されているものの録画システムのトラブル等で録画に失敗してしまった期間であるか、を区別することは難しかった。
そこで、本発明は、録画データの有無の妥当性を容易に判断可能にすることを目的とする。
【課題を解決するための手段】
【０００５】
そこで、本発明の録画システムは、録画設定情報を取得する取得手段と、前記取得手段により取得された前記録画設定情報に基づいて、配信される映像の録画データの有無の妥当性を判定する判定手段と、前記判定手段による判定の結果を、表示画面上に表示させる表示制御手段と、を有する。
【発明の効果】
【０００６】
本発明によれば、録画データの有無の妥当性を容易に判断可能にすることができる。
【図面の簡単な説明】
【０００７】
【図１】録画システムのシステム構成の一例を示す図である。
【図２】録画装置のハードウェア構成の一例を示す図である。
【図３】録画装置の機能構成等の一例を示す図である。
【図４】録画設定情報の一例を示す図である。
【図５】録画映像情報の一例を示す図である。
【図６】装置状態情報の一例を示す図である。
【図７】妥当性判定結果の一例を示す図である。
【図８】録画システムのスケジュール録画処理の一例を示すシーケンス図である。
【図９】録画システムのイベント録画処理の一例を示すシーケンス図である。
【図１０】妥当性判定部の処理の一例を示すフローチャートである。
【図１１】表示装置が表示する画面の一例を示す図である。
【発明を実施するための形態】
【０００８】
以下、本発明の実施形態について図面に基づいて説明する。
【０００９】
＜実施形態１＞
図１は、録画システム１００のシステム構成の一例を示す図である。
録画システム１００は、撮影装置１０１、録画装置１０２、表示装置１０３、通知装置１０４、ネットワーク１０５を含む。
ネットワーク１０５は、インターネット、ＷＡＮ  （Ｗｉｄｅ  Ａｒｅａ  Ｎｅｔｗｏｒｋ）、ＬＡＮ  （Ｌｏｃａｌ  Ａｒｅａ  Ｎｅｔｗｏｒｋ）等の通信ネットワークであり、ルータ、スイッチ、ケーブル等を含む。
撮影装置１０１は、カメラが接続された情報処理装置やネットワークカメラ等であり、撮影した映像や発生したイベントを、ネットワーク１０５を介して配信する。
録画装置１０２は、ネットワーク１０５を介して撮影装置１０１、表示装置１０３、通知装置１０４等と通信を行い、配信された映像や発生イベント等を受信し、映像の蓄積を行う。録画装置１０２は、録画設定情報に基づいて録画データの有無の妥当性を判定する情報処理装置の一例である。
【００１０】
表示装置１０３は、ネットワーク１０５を介して撮影装置１０１や録画装置１０２と通信を行い、撮影装置１０１や録画装置１０２が配信する映像を受信し、受信した映像の表示を行う。本実施形態では、表示装置１０３と録画装置１０２とは、それぞれ別の装置であるとするが、表示部を有する録画装置が表示装置１０３と録画装置１０２との処理を実行することとしてもよい。
通知装置１０４は、入退室カードリーダ等の入退室管理装置や人感センサ等であり、検出したイベントや各種の設定に基づき、ＳＮＭＰ等の設定された規格に基づいて、ネットワーク１０５を介してイベントを送信する。ＳＮＭＰは、Ｓｉｍｐｌｅ  Ｎｅｔｗｏｒｋ  Ｍａｎａｇｅｍｅｎｔ  Ｐｒｏｔｏｃｏｌの略である。
録画システム１００は、撮影装置、録画装置、表示装置、通知装置を一つずつ含むこととしたが、複数含むこととしてもよい。また、録画システム１００は、撮影装置、録画装置、表示装置、通知装置以外にも、データ保管用のサーバ装置等の装置を含むこととしてもよい。
また、通知装置１０４は、入退室管理装置や人感センサ等に限らず、外部装置にイベントを送信可能なものであれば、他の装置であってもよい。通知装置１０４は、例えば、人物検出機能、及び、検出結果通知機能を有するカメラ等であってもよい。
また、ネットワーク１０５は、撮影装置１０１、録画装置１０２、表示装置１０３、通知装置１０４との間の通信が支障なく行えるものであれば、ＰＡＮ（Ｐｅｒｓｏｎａｌ  Ａｒｅａ  Ｎｅｔｗｏｒｋ）等でもよい。
【００１１】
図２は、録画装置１０２のハードウェア構成の一例を示す図である。録画装置１０２は、ＣＰＵ１１０、主記憶装置１１１、補助記憶装置１１２、ネットワークＩ／Ｆ１１３を含む。ＣＰＵ１１０、主記憶装置１１１、補助記憶装置１１２、ネットワークＩ／Ｆ１１３は、システムバス１１４を介して互いに接続されている。
ＣＰＵ１１０は、録画装置１０２の処理を制御する中央演算装置である。主記憶装置１１１は、ＣＰＵ１１０のワークエリアや種々のデータの記憶領域として機能する記憶装置である。補助記憶装置１１２は、各種プログラム、各種閾値等の設定値、撮影装置１０１からの映像を録画した録画映像のデータ等を格納する。ネットワークＩ／Ｆ１１３は、撮影装置１０１や通知装置１０４等の外部装置との間でデータの入出力を行う。
ＣＰＵ１１０が、補助記憶装置１１２等に記録されたプログラムに基づき処理を実行することによって、後述する録画装置１０２の機能、後述するシーケンス図における録画装置１０２の処理及び後述するフローチャートの処理が実現される。
【００１２】
撮影装置１０１のハードウェア構成は、撮影素子を含むことを除いて、録画装置１０２と同様である。撮影装置１０１のＣＰＵは、撮影装置１０１の撮影素子を介して、撮影領域の映像データを取得し、取得した映像データを撮影装置１０１のネットワークＩ／Ｆを介して、録画装置１０２等の外部の装置に送信する。
撮影装置１０１のＣＰＵが、撮影装置１０１の補助記憶装置等に記録されたプログラムに基づき処理を実行することによって、後述する撮影装置１０１の機能及び後述するシーケンス図における撮影装置１０１の処理が実現される。
【００１３】
表示装置１０３のハードウェア構成は、表示部を含むことを除いて、録画装置１０２と同様である。表示装置１０３のＣＰＵは、表示装置１０３のネットワークＩ／Ｆを介して、撮影装置１０１、録画装置１０２等から映像データを受信し、受信した映像データを表示装置１０３の表示部に表示する。
表示装置１０３のＣＰＵが、表示装置１０３の補助記憶装置等に記録されたプログラムに基づき処理を実行することによって、後述する表示装置１０３の機能及び後述するシーケンス図における表示装置１０３の処理が実現される。
【００１４】
通知装置１０４のハードウェア構成は、イベント検知部を含むことを除いて、録画装置１０２と同様である。通知装置１０４のイベント検知部は、赤外線センサやカードリーダ部等であり、設定された領域への人物の侵入等を検知し、検知結果を通知装置１０４のＣＰＵへ通知する。通知装置１０４のＣＰＵは、通知装置１０４のイベント検知部から通知された検知結果から、どのイベントが発生したかを判定し、発生したと判定したイベントの情報を、通知装置１０４のネットワークＩ／Ｆを介して、録画装置１０２等の外部の装置に送信する。
通知装置１０４のＣＰＵが、通知装置１０４の補助記憶装置等に記録されたプログラムに基づき処理を実行することによって、後述する通知装置１０４の機能及び後述するシーケンス図における通知装置１０４の処理が実現される。
【００１５】
図３は、録画装置１０２の機能構成等の一例を示す図である。
録画装置１０２は、イベント情報取得部２０１、装置状態情報取得部２０２、録画設定部２０３、録画部２０４、録画映像情報取得部２０５、妥当性判定部２０６を含む。また、表示装置１０３は、表示制御部２０７を含む。
イベント情報取得部２０１は、撮影装置１０１、通知装置１０４等から送信されるイベント情報や録画装置１０２で発生したイベントのイベント情報等を取得する。イベントの種類や内容を示す情報は、イベント情報の取得元である撮影装置１０１や通知装置１０４、録画装置１０２で予め定義されている。ＣＰＵ１１０は、予め定義されたイベントの種類、内容を示すイベント定義情報を、補助記憶装置１１２等に記録している。イベント情報取得部２０１は、イベント情報を取得した際、イベント定義情報から取得したイベント情報に対応するイベントの情報を特定することで、取得したイベント情報の詳細を把握する。
【００１６】
装置状態情報取得部２０２は、撮影装置１０１、録画装置１０２、通知装置１０４が稼動しているかどうか、通信可能かどうか、等を示す装置状態情報を取得する。装置状態情報取得部２０２は、イベント情報取得部２０１により取得されたイベント情報、各装置へのｐｉｎｇ応答結果、各装置との通信セッション状態等に基づいて、各装置の装置状態情報を取得する。より具体的には、装置状態情報取得部２０２は、例えば、イベント情報取得部２０１により取得された録画装置１０２についてのイベント情報が、ネットワークへの接続開始イベントを示すものである場合、以下の処理を行う。即ち、装置状態情報取得部２０２は、録画装置１０２について接続状態であることを示す装置状態情報を取得する。
また、装置状態情報取得部２０２は、例えば、撮影装置１０１、通知装置１０４等の外部装置にｐｉｎｇ信号を送信し、設定された期間内に応答が得られた場合、その外部装置について接続状態であることを示す装置状態情報を取得する。そして、装置状態情報取得部２０２は、例えば、撮影装置１０１、通知装置１０４等の外部装置にｐｉｎｇ信号を送信し、設定された期間内に応答が得られなかった場合、その外部装置について切断状態であることを示す装置状態情報を取得する。装置状態情報取得部２０２は、装置状態情報の取得元である装置が、装置状態取得用のインタフェースを備えている場合、装置状態取得用のインタフェースを介して、装置状態情報の取得元の装置の装置状態情報を取得してもよい。装置状態情報取得部２０２が取得する装置状態情報の詳細については、図６で後述する。
【００１７】
録画設定部２０３は、録画設定情報を決定する。録画設定情報とは、録画システム１００による録画処理の際に利用される設定情報である。録画設定情報は、録画条件情報、スケジュール録画の場合の録画開始時刻・録画終了時刻、イベント録画の場合の録画開始イベント・録画終了イベントを含む。また、録画設定情報は、録画内容（映像形式、映像サイズ、フレームレート等）等を含む。録画設定部２０３は、決定した録画設定情報の内容を、主記憶装置１１１や補助記憶装置１１２等に保存される録画処理の際に利用される設定ファイル等に記録する。
録画設定情報に含まれる録画条件情報には、録画種別情報が含まれる。録画種別情報として決定される値には、スケジュール録画、イベント録画等がある。スケジュール録画は、予め設定された録画開始時刻から録画終了時刻までの期間、録画を行うことを示す録画種別情報である。スケジュール録画は、録画開始時刻から録画終了時刻までの期間内において常時録画する常時録画設定の一例である。イベント録画は、例えば、通知装置１０４から録画開始イベントが通知された時刻から通知装置１０４から録画終了イベントが通知された時刻までの期間、録画を行うことを示す録画種別情報である。録画設定情報の詳細については、図４で後述する。
【００１８】
録画部２０４は、イベント情報取得部２０１で取得したイベント情報、録画設定部２０３によって決定された録画設定情報に基づいて、撮影装置１０１から配信される映像を、録画映像として補助記憶装置１１２等に記録する。また、録画部２０４は、録画対象期間（例えば、録画開始時刻から録画終了時刻までの期間、録画開始イベント通知時刻から録画終了イベント通知時刻までの期間）、録画欠落期間等を示す情報を、録画映像の録画映像情報として記録する。録画映像情報についての詳細は、図５で後述する。
録画映像情報取得部２０５は、録画部２０４により記録された録画映像情報を、補助記憶装置１１２等から取得する。
妥当性判定部２０６は、録画映像情報取得部２０５により取得された録画映像情報、録画設定部２０３により決定された録画設定情報、装置状態情報取得部２０２により取得された装置状態情報等に基づいて、録画データの有無の妥当性を判定する。妥当性判定部２０６による判定処理の結果である妥当性判定結果の詳細については、図７で後述する。
表示制御部２０７は、録画映像情報取得部２０５により取得された録画映像情報、妥当性判定部２０６による判定処理の結果等を、表示装置１０３の表示部に表示する。
【００１９】
図４は、録画設定情報の一例を示す図である。録画設定情報は、録画システム１００による録画処理に利用される設定情報であり、録画設定部２０３により決定され、補助記憶装置１１２等に記録される。本実施形態では、録画設定情報は、テーブル形式の情報として管理されるものとする。図４のテーブルの一行分のデータは、一つの録画設定情報を示す。
識別子６０１は、録画設定情報を一意に特定するための識別子である。
種別６０２は、スケジュール録画、イベント録画等の実行される録画処理の録画種別である。
繰り返し設定６０３は、録画設定情報が有効となる期間を示す。繰り返し設定６０３が「常時」である場合、録画設定情報は、常に有効となる。繰り返し設定６０３が「毎週（月火水木金）」である場合、録画設定情報は、毎週月曜日〜金曜日に有効となる。繰り返し設定６０３が「毎日（期間指定（例えば、１０：００：００  −  １２：００：００））」である場合、録画設定情報は、毎日指定された期間（１０時から１２時までの期間）有効となる。
【００２０】
開始トリガ６０４は、録画装置１０２による録画を開始するためのトリガである。開始トリガ６０４は、スケジュール録画の場合、録画開始時刻の情報となり、イベント録画の場合、録画開始イベントの識別子及び録画開始イベントを通知する通知装置識別子の情報となる。例えば、スケジュール録画の場合、開始トリガ６０４が「０９：００：００」であることは、０９：００：００の時刻に録画装置１０２が録画を開始することを意味する。また、イベント録画の場合、開始トリガ６０４が「通知装置１のイベント１」であることは、録画装置１０２が通知装置１から通知されたイベント１をトリガとして録画を開始することを意味する。
終了トリガ６０５は、録画装置１０２による録画を終了するためのトリガである。終了トリガ６０５は、スケジュール録画の場合、録画終了時刻の情報となり、イベント録画の場合、録画終了イベントの識別子及び録画終了イベントを通知する通知装置識別子の情報となる。例えば、スケジュール録画の場合、終了トリガ６０５が「１２：００：００」であることは、１２：００：００の時刻に録画装置１０２が録画を停止することを意味する。また、イベント録画の場合、終了トリガ６０５が「通知装置１のイベント２」であることは、録画装置１０２が通知装置１から通知されたイベント２をトリガとして録画を停止することを意味する。
【００２１】
カメラ６０６は、録画対象の映像を撮影するカメラの識別子である。
映像形式６０７は、録画対象の映像の映像形式である。映像形式６０７には、例えばＪＰＥＧ、Ｈ．２６４等が指定される。
映像サイズ６０８は、録画対象の映像の映像サイズである。映像サイズ６０８には、例えば、４８０＊２７０、９６０＊５４０、１９２０＊１０８０等が指定される。
フレームレート６０９は、録画対象の映像のフレームレートである。フレームレート６０９には、１、５、１０等の設定可能なフレームレートが指定される。
最終更新時刻６１０は、録画設定情報が最後に更新された時刻である。
【００２２】
図５は、録画映像情報の一例を示す図である。録画映像情報は、録画設定情報の開始トリガにより開始され、終了トリガにより終了する録画処理毎の録画映像の属性情報であり、録画対象期間、録画映像の欠落期間等の情報を含む。録画映像情報は、録画部２０４によって、決定され、補助記憶装置１１２等に記録される。本実施形態では、録画映像情報は、テーブル形式の情報として管理されるものとする。図５のテーブルの一行分のデータは、一つの録画映像情報を示す。
識別子７０１は、録画映像情報を一意に特定するための識別子である。
項目６０２〜６０６は、図４と同様である。
録画対象期間７０２は、録画対象である期間である。録画対象期間７０２は、スケジュール録画の場合、録画開始時刻から録画終了時刻までの期間、又は、録画開始時刻から現在時刻までの期間となる。また、録画対象期間７０２は、イベント録画の場合、録画開始イベント通知の時刻から録画終了イベント通知の時刻までの期間、又は、録画開始イベント通知の時刻から現在時刻までの期間となる。例えば、録画対象期間７０２が「２０１４／１２／１０  ０９：００：００  −  ２０１４／１２／１０  １２：００：００」である場合、録画対象となる期間は、以下のようになる。即ち、録画対象となる期間は、２０１４年１２月１０日０９：００：００から、２０１４年１２月１０日１２：００：００までの期間となる。また、録画対象期間７０２が「２０１４／１２／１２  １１：２３：４０  −  ｃｕｒｒｅｎｔ」である場合、録画対象となる期間は、２０１４年１２月１２日１１：２３：４０以降、現在も継続している期間となる。
録画欠落期間７０３は、録画対象期間７０２の期間内に発生した録画映像の欠落している期間である。録画映像の欠落している期間とは、録画映像が存在しない期間のことである。撮影装置１０１や録画装置１０２、ネットワーク１０５等で問題が発生した場合、録画装置１０２は、映像の録画に失敗し、録画欠落期間が発生する可能性がある。録画欠落期間７０３が「２０１４／１２／１１  １０：１２：３８  −  ２０１４／１２／１１  １０：１６：０３」である場合、録画映像が欠落している期間は、以下のようになる。即ち、録画映像が欠落している期間は、２０１４年１２月１１日１０：１２：３８から２０１４年１２月１１日１０：１６：０３までの期間となる。また、録画欠落期間７０３が「２０１４／１２／１２  １１：２３：４０  −  ｃｕｒｒｅｎｔ」である場合、録画映像が欠落している期間は、２０１４年１２月１２日１１：２３：４０以降、現在も継続している期間となる。また、録画欠落期間が「−−」である場合、録画映像が欠落している期間は、存在しないこととなる。
最終更新時刻７０４は、録画映像情報が最後に更新された時刻である。
【００２３】
図６は、装置状態情報の一例を示す図である。装置状態情報は、ある装置のある時刻以降の状態を示す情報であり、装置状態情報取得部２０２により取得される。本実施形態では、装置状態情報は、テーブル形式の情報として管理されるものとする。図６のテーブルの一行分のデータは、一つの装置状態情報を示す。
識別子８０１は、装置状態情報を一意に特定するための識別子である。
発生時刻８０２は、装置状態情報が取得された時刻である。
識別子８０３は、装置状態情報に対応する装置の識別子である。
【００２４】
装置状態８０４は、発生時刻８０２の時刻以降の識別子８０３が示す装置の装置状態である。装置状態８０４が「接続」である場合、識別子８０３が示す装置は、正常にネットワークに接続されている状態である。装置状態８０４が「切断」である場合、識別子８０３が示す装置は、ネットワークへの接続が切断された状態である。装置状態８０４が「切断」の状態は、異常状態の一例である。
図６の例では、通知装置２は、「２０１４／１２／１０  ０７：１５：３０」に接続状態に変化し（イベント６）、その後、「２０１４／１２／１２  ０２：０１：０８」に切断状態に変化した（イベント８）こととなる。本実施形態では、識別子８０１がイベント８である装置状態情報が取得された時刻以降に通知装置２からネットワークに接続したことを示すイベント情報が通知されていない場合、通知装置２はネットワークから切断された状態のままである。そのため、録画装置１０２は、通知装置２から、イベント情報を受信できないこととなる。
【００２５】
図７は、妥当性判定結果の一例を示す図である。妥当性判定部２０６は、録画映像情報毎に、録画データの有無についての妥当性を判定する判定処理を行う。妥当性判定結果は、妥当性判定部２０６による判定処理の結果を示す。本実施形態では、妥当性判定結果は、テーブル形式の情報として管理されるものとする。図７の一行分のデータは、一つの妥当性判定結果を示す。
識別子９０１は、妥当性判定結果を一意に特定するための識別子である。
判定結果９０２は、録画データの有無の妥当性を示す判定結果である。「Ｅｒｒｏｒ」の判定結果は、録画映像の欠落が録画するよう設定された期間内に発生したものであることを意味している。「Ｅｒｒｏｒ」の判定結果は、録画映像の欠落が妥当ではないことを示す判定結果の一例である。「Ｗａｒｎｉｎｇ」の判定結果は、録画映像の欠落が録画するよう設定された期間内に発生した可能性があるものであることを意味している。「Ｗａｒｎｉｎｇ」の判定結果は、録画映像の欠落が妥当ではない可能性があることを示す判定結果の一例である。
対象期間９０３は、録画映像の欠落が発生した期間である。対象期間９０３が「２０１４／１２／１１  １０：１２：３８  −  ２０１４／１２／１１  １０：１６：０３」である場合、録画映像の欠落が発生した期間は、以下のようになる。録画映像の欠落が発生した期間は、２０１４年１２月１１日１０：１２：３８から２０１４年１２月１１日１０：１６：０３までの期間となる。また、対象期間９０３が「２０１４／１２／１２  １１：２３：４０  −  ｃｕｒｒｅｎｔ」である場合、録画映像の欠落が発生した期間は、以下のようになる。録画映像の欠落が発生した期間は、２０１４年１２月１２日１１：２３：４０以降、現在も継続している期間となる。
最終更新時刻９０４は、最後に妥当性判定結果が更新された時刻である。
項目６０２〜６０６は、図４と同様である。
【００２６】
図８は、録画システム１００のスケジュール録画処理の一例を示すシーケンス図である。
Ｓ３０１において、録画設定部２０３は、ユーザによる録画装置１０２のユーザインタフェースを介した操作に基づいて、録画設定情報を決定する。図８の処理では、録画設定部２０３は、撮影装置１０１から配信される映像を録画する処理の録画種別として、スケジュール録画を決定する。そして、録画設定部２０３は、録画開始時刻・録画終了時刻、録画内容（映像形式、映像サイズ、フレームレート等）等も決定する。
Ｓ３０２において、時刻がＳ３０１で決定された録画開始時刻となった場合、録画部２０４は、撮影装置１０１に対してＳ３０１で決定された録画内容を含む映像配信開始コマンドを送信する。
【００２７】
Ｓ３０３において、撮影装置１０１は、Ｓ３０２で受信した映像配信開始コマンドに含まれる録画内容が指定する撮影条件（映像形式、映像サイズ、フレームレート等）で、撮影を行い、撮影した映像の録画装置１０２に対する配信を開始する。
Ｓ３０４において、録画部２０４は、Ｓ３０３で撮影装置１０１から配信が開始された映像を受信して、受信した映像を録画映像として補助記憶装置１１２等に記録する。また、録画部２０４は、Ｓ３０１で決定された録画の録画開始時刻から終了時刻までの期間の情報、録画内容を示す情報等の録画映像情報を、補助記憶装置１１２等に記録する。
Ｓ３０５において、撮影装置１０１は、録画装置１０２に対して撮影装置停止通知イベントを示すイベント情報を送信する。撮影装置停止通知イベントは、撮影装置１０１が停止したことを示すイベントである。録画部２０４は、イベント情報取得部２０１を介して取得したイベント情報に基づいて、映像の録画を停止する。より具体的には、録画部２０４は、取得したイベント情報が、撮影装置停止通知イベントを示す情報である場合、撮影装置１０１からの映像の記録を停止する。そして、録画部２０４は、撮影装置１０１からの映像の記録を停止した時刻から録画映像の欠落が発生したことを示す情報を録画映像情報に記録する。例えば、録画部２０４は、録画映像情報の録画欠落期間の項目に「撮影装置１０１からの映像の記録を停止した時刻  −  ｃｕｒｒｅｎｔ」を記録する。
また、録画部２０４は、受信したイベント情報と、イベント情報を受信した時刻と、撮影装置１０１を示す装置識別子と、撮影装置１０１がネットワークから切断されたことを示す情報と、を含む装置状態情報を、補助記憶装置１１２等に記録する。
【００２８】
Ｓ３０６において、撮影装置１０１は、録画装置１０２に対して撮影装置起動通知イベントを示すイベント情報を送信する。撮影装置起動通知イベントは、撮影装置１０１が起動したことを示すイベントである。録画部２０４は、受信したイベント情報と、イベント情報を受信した時刻と、撮影装置１０１を示す装置識別子と、撮影装置１０１がネットワークに接続されたことを示す情報と、を含む装置状態情報を、補助記憶装置１１２等に記録する。
Ｓ３０７において、録画部２０４は、時刻がＳ３０１で決定された録画の開始時刻から終了時刻までの期間内であり、かつ、Ｓ３０６で撮影装置起動通知イベントのイベント情報が送信されているため、以下の処理を行う。即ち、録画部２０４は、撮影装置１０１に対して、再度、Ｓ３０２で送信した映像配信開始コマンドと同様の映像配信開始コマンドを送信する。
Ｓ３０８において、撮影装置１０１は、Ｓ３０３の処理と同様に、録画装置１０２に対して、撮影した映像の配信を開始する。
【００２９】
Ｓ３０９において、録画部２０４は、Ｓ３０４の処理と同様に、撮影装置１０１から配信された映像を受信して、受信した映像を記録する処理を再開する。そして、録画部２０４は、Ｓ３０５で記録した映像の記録を停止した時刻からＳ３０９で受信した映像の記録を再開した時刻までの期間に録画映像の欠落が発生したことを示す情報を録画映像情報に記録する。例えば、録画部２０４は、録画映像情報の録画欠落期間の項目に「映像の記録を停止した時刻  −  映像の記録を再開した時刻」を記録する。Ｓ３０５で記録した映像の記録を停止した時刻からＳ３０９で映像の記録を再開した時刻までの期間は、録画映像の欠落が発生した期間となる。
Ｓ３１０において、時刻がＳ３０１で決定された録画終了時刻となった場合、録画部２０４は、撮影装置１０１に対して映像配信停止コマンドを送信し、撮影装置１０１からの映像の記録を停止する。
Ｓ３１１において、撮影装置１０１は、録画装置１０２に対しての撮影している映像の配信を停止する。
【００３０】
Ｓ３１２において、妥当性判定部２０６は、撮影装置１０１による録画されている録画映像に欠落が発生していた場合、発生した録画映像の欠落が録画するよう設定された期間内に発生したものかどうかを判定する。妥当性判定部２０６は、録画設定情報、録画映像情報、装置状態情報等が更新される度に、録画映像の欠落の妥当性を判定し、結果を妥当性判定結果として記録する。
妥当性判定部２０６は、例えば、Ｓ３０５では、録画設定情報に基づいて、Ｓ３０５以降に録画されていないために生じている録画映像の欠落が、録画するよう設定された期間内に発生したものかどうかを判定する。より具体的には、妥当性判定部２０６は、録画設定情報の種別６０２の情報から、行われている録画処理の録画種別を特定する。そして、妥当性判定部２０６は、特定した録画種別がスケジュール録画であるため、録画映像の欠落が録画するよう設定された期間内に発生したものとして判定結果を「Ｅｒｒｏｒ」と判定する。妥当性判定部２０６は、判定結果「Ｅｒｒｏｒ」、録画映像の欠落が発生している期間の情報等を妥当性判定結果として、主記憶装置１１１、補助記憶装置１１２等に記録する。
録画種別がスケジュール録画である場合の録画映像の欠落を「Ｅｒｒｏｒ」と判定することで、妥当性判定部２０６は、撮影装置１０１の接続が切れた場合、録画装置１０２の補助記憶装置１１２の容量が不足している場合等の異常を検知できる。
【００３１】
本実施形態では、妥当性判定部２０６は、録画映像の欠落が録画するよう設定された期間内に発生したものであるかどうかを判定することとする。しかし、妥当性判定部２０６は、録画されている録画映像が録画するよう設定された期間内に録画されたものかどうかを判定することもできる。例えば、録画されている録画映像に対応する録画映像情報が記録されていない場合、妥当性判定部２０６は、その録画映像を録画するよう設定された期間内に録画されたものではないと判定することができる。また、録画されている録画映像に対応する録画映像情報が記録されている場合、妥当性判定部２０６は、その録画映像を録画するよう設定された期間内に録画されたものであると判定することができる。
【００３２】
Ｓ３１３において、表示装置１０３は、録画装置１０２に対して接続コマンドを送信する。
Ｓ３１４において、録画装置１０２は、表示装置１０３に対して録画映像情報及び妥当性判定結果を送信する。
Ｓ３１５において、表示制御部２０７は、録画映像情報及び妥当性判定結果に基づいて、表示部に画面を表示する。
なお、撮影装置１０１から通知されるイベントは、撮影装置停止通知イベント、撮影装置起動通知イベント以外の撮影装置１０１の設定値変更イベント等でもよい。
【００３３】
図９は、録画システム１００のイベント録画処理の一例を示すシーケンス図である。
Ｓ４０１において、録画設定部２０３は、ユーザによる録画装置１０２のユーザインタフェースを介した操作に基づいて、録画設定情報を決定する。図９の処理では、録画設定部２０３は、撮影装置１０１から配信される映像を録画する処理の録画種別として、イベント録画を決定する。
Ｓ４０２において、撮影装置１０１は、録画装置１０２に対して撮影装置停止通知イベントを示すイベント情報を送信する。撮影装置停止通知イベントは、撮影装置１０１が停止したことを示すイベントである。また、録画部２０４は、受信したイベント情報と、イベント情報を受信した時刻と、撮影装置１０１を示す装置識別子と、撮影装置１０１がネットワークから切断されたことを示す情報と、を含む装置状態情報を、補助記憶装置１１２等に記録する。
【００３４】
Ｓ４０３において、通知装置１０４は、録画装置１０２に対して録画開始イベントを示すイベント情報を送信する。しかし、録画部２０４は、Ｓ４０２で記録された撮影装置１０１の装置状態情報が、撮影装置１０１がネットワークから切断されている状態であること示す情報である場合、映像の録画を開始することはできない。そして、録画部２０４は、Ｓ４０１で決定された録画設定情報に基づく録画対象期間の開始時刻の情報、Ｓ４０３でイベント情報を受信した時刻から開始する録画欠落期間の情報等を録画映像情報として記録する。
Ｓ４０４において、通知装置１０４は、録画装置１０２に対して録画終了イベントを示すイベント情報を送信する。しかし、録画部２０４は、Ｓ４０３で撮影装置１０１からの映像の記録を開始することができなかったため、以下の処理を行う。即ち、録画部２０４は、録画対象期間及び録画欠落期間が、Ｓ４０３で録画開始イベントを示すイベント情報が送信された時刻からＳ４０４で録画終了イベントを示すイベント情報が送信された時刻までの期間である録画映像情報を記録する。
【００３５】
Ｓ４０５において、撮影装置１０１は、録画装置１０２に対して撮影装置起動通知イベントを示すイベント情報を送信する。録画部２０４は、受信したイベント情報と、イベント情報を受信した時刻と、撮影装置１０１を示す装置識別子と、撮影装置１０１がネットワークに接続されたことを示す情報と、を含む装置状態情報を、補助記憶装置１１２等に記録する。
Ｓ４０６において、通知装置１０４は、録画装置１０２に対して、通知装置停止通知イベントを示すイベント情報を送信する。また、録画部２０４は、受信したイベント情報と、イベント情報を受信した時刻と、通知装置１０４を示す装置識別子と、通知装置１０４がネットワークから切断されたことを示す情報と、を含む装置状態情報を、補助記憶装置１１２等に記録する。通知装置１０４がネットワークから切断されたこととなるので、録画装置１０２は、通知装置１０４からから録画開始イベント、録画終了イベントを受信することができない。そのため、このままでは、録画部２０４は、イベント録画による撮影装置１０１からの映像の記録を開始することができない。
また、録画部２０４は、新たな録画映像情報を生成し、録画欠落期間として、Ｓ４０６でイベント情報が送信された時刻から始まる期間を記録する。
【００３６】
Ｓ４０７において、通知装置１０４は、録画装置１０２に対して、通知装置起動通知イベントを示すイベント情報を送信する。また、録画部２０４は、受信したイベント情報と、イベント情報を受信した時刻と、通知装置１０４を示す装置識別子と、通知装置１０４がネットワークに接続されたことを示す情報と、を含む装置状態情報を、補助記憶装置１１２等に記録する。そのため、通知装置１０４は、録画装置１０２にたいして、録画開始イベント通知を受信できる状態となる。
そして、録画部２０４は、Ｓ４０６で生成した録画映像情報の録画欠落期間として、Ｓ４０６でイベント情報を受信した時刻からＳ４０７でイベント情報を受信した時刻までの期間の情報を記録する。また、録画部２０４は、Ｓ４０６で生成した録画映像情報の録画対象期間として、Ｓ４０６でイベント情報を受信した時刻からＳ４０７でイベント情報を受信した時刻までの期間の情報を記録する。
【００３７】
Ｓ４０８において、妥当性判定部２０６は、撮影装置１０１による録画されている録画映像に欠落が発生していた場合、発生した録画映像の欠落が録画するよう設定された期間内に発生したものかどうかを判定する。妥当性判定部２０６は、録画設定情報、録画映像情報、装置状態情報等が更新される度に、録画映像の欠落の妥当性を判定し、結果を妥当性判定結果として記録する。
妥当性判定部２０６は、例えば、Ｓ４０３では、録画設定情報に基づいて、Ｓ４０３以降に録画されていないため生じている録画映像の欠落が、録画するよう設定された期間内に発生したものかどうかを判定する。
【００３８】
より具体的には、妥当性判定部２０６は、録画設定情報の種別６０２の情報から、行われている録画処理の録画種別を特定する。妥当性判定部２０６は、Ｓ４０３では、録画種別をイベント録画と特定する。そして、妥当性判定部２０６は、録画種別がイベント録画であり、Ｓ４０３で録画開始イベントが通知されている場合、以下の処理を行う。即ち、妥当性判定部２０６は、録画映像の欠落が、録画するよう設定された期間内に発生したと判定して、判定結果を「Ｅｒｒｏｒ」とする。妥当性判定部２０６は、判定結果「Ｅｒｒｏｒ」、録画映像の欠落が発生している期間の情報等を妥当性判定結果として、主記憶装置１１１、補助記憶装置１１２等に記録する。妥当性判定部２０６は、Ｓ４０４では、Ｓ４０３と同様の処理を行う。
録画種別がイベント録画であり、録画開始イベントを通知されている場合に発生した録画映像の欠落を「Ｅｒｒｏｒ」と判定することで、妥当性判定部２０６は、以下のことができる。即ち、妥当性判定部２０６は、撮影装置１０１の接続が切れた場合、録画装置１０２の補助記憶装置１１２の容量が不足している場合等の異常を検知できる。
【００３９】
妥当性判定部２０６は、例えば、Ｓ４０６では、録画設定情報、装置状態情報に基づいて、Ｓ４０６以降に録画されていないために生じている録画映像の欠落が、録画するよう設定された期間内に発生したものかどうかを判定する。
より具体的には、妥当性判定部２０６は、録画設定情報の種別６０２の情報から、行われている録画処理の録画種別を特定する。そして、妥当性判定部２０６は、特定した録画種別がイベント録画である場合、装置状態情報から通知装置１０４の装置状態を取得する。妥当性判定部２０６は、通知装置１０４の装置状態が「切断」なので、録画映像の欠落が、録画するよう設定された期間内に発生した可能性があると判定し、判定結果を「Ｗａｒｎｉｎｇ」とする。妥当性判定部２０６は、判定結果「Ｗａｒｎｉｎｇ」、録画映像の欠落が発生している期間の情報等を妥当性判定結果として、主記憶装置１１１、補助記憶装置１１２等に記録する。
録画種別がイベント録画であり、通知装置１０４の装置状態が「切断」の場合に発生した録画映像の欠落を「Ｗａｒｎｉｎｇ」と判定することで、妥当性判定部２０６は、以下のことができる。即ち、妥当性判定部２０６は、通知装置１０４の接続が切れた場合等の異常を検知できる。
Ｓ３１３、Ｓ３１４、Ｓ３１５の処理は、図８と同様である。
【００４０】
図１０は、妥当性判定部２０６の処理の一例を示すフローチャートである。
Ｓ５０１において、妥当性判定部２０６は、設定された期間、待機してＳ５０２の処理に進む。
Ｓ５０２において、妥当性判定部２０６は、録画設定情報、録画映像情報、装置状態情報のうちの少なくとも一つが更新されたか否かを判定する。妥当性判定部２０６は、録画設定情報、録画映像情報、装置状態情報のうちの少なくとも一つが更新されたと判定した場合、Ｓ５０３の処理に進む。また、妥当性判定部２０６は、録画設定情報、録画映像情報、装置状態情報のうちの少なくとも一つが更新され邸内と判定した場合、Ｓ５０１の処理に進む。
【００４１】
Ｓ５０３において、妥当性判定部２０６は、録画種別、録画開始トリガ、録画終了トリガ、カメラ等の情報を含む録画設定情報を取得して、Ｓ５０４の処理に進む。
Ｓ５０４において、妥当性判定部２０６は、Ｓ５０３で取得した録画設定情報に対応する録画対象期間、録画欠落期間等の情報を含む録画映像情報を取得して、Ｓ５０５の処理に進む。
Ｓ５０５において、妥当性判定部２０６は、装置状態に関わるイベントの発生時刻、対象装置、変化した装置状態を含む装置状態情報を取得して、Ｓ５０６に進む。
【００４２】
Ｓ５０６において、妥当性判定部２０６は、Ｓ５０４で取得した録画映像情報に録画設定に対する録画欠落期間の情報が記録されている場合、以下の処理を行う。即ち、妥当性判定部２０６は、Ｓ５０３で取得した録画設定情報に基づいて、その録画欠落期間が録画するよう設定された期間内に発生したものかどうかを判定する。より具体的には、妥当性判定部２０６は、Ｓ５０３で取得した録画設定情報の種別６０２の情報から、行われている録画処理の録画種別を特定する。そして、妥当性判定部２０６は、特定した録画種別がスケジュール録画である場合、録画映像の欠落が録画するよう設定された期間内に発生したものとして判定結果を「Ｅｒｒｏｒ」と判定する。妥当性判定部２０６は、特定した録画種別がスケジュール録画でない場合、Ｓ５０７の処理に進む。そして、妥当性判定部２０６は、Ｓ５０７の処理に進む。
Ｓ５０７において、妥当性判定部２０６は、Ｓ５０４で取得した録画設定情報に含まれる全てのイベント録画の録画設定情報について、Ｓ５０８〜Ｓ５１２の処理を実施していないかどうかを判定する。妥当性判定部２０６は、Ｓ５０４で取得した録画設定情報に含まれる全てのイベント録画の録画設定情報について、Ｓ５０８〜Ｓ５１２の処理を実施していないと判定した場合、Ｓ５０８の処理に進む。妥当性判定部２０６は、Ｓ５０４で取得した録画設定情報に含まれる全てのイベント録画の録画設定情報について、Ｓ５０８〜Ｓ５１２の処理を実施したと判定した場合、Ｓ５１３の処理に進む。
【００４３】
Ｓ５０８では、妥当性判定部２０６は、Ｓ５０４で取得した録画設定情報のうち、イベント録画の録画設定情報を一つ選択して、Ｓ５０９の処理に進む。
Ｓ５０９において、妥当性判定部２０６は、Ｓ５０８で選択した録画設定情報の録画開始トリガ、録画終了トリガの情報から、録画開始イベント、録画終了イベントの通知元である通知装置を特定して、Ｓ５１０の処理に進む。
Ｓ５１０において、妥当性判定部２０６は、Ｓ５０５で取得した装置状態情報のうち、Ｓ５０９で特定した通知装置の装置状態情報を取得して、Ｓ５１１の処理に進む。
Ｓ５１１において、妥当性判定部２０６は、Ｓ５１０で取得した装置状態情報から、通知装置の装置状態が「切断」状態等の正常でない状態である期間を特定して、Ｓ５１２の処理に進む。
【００４４】
Ｓ５１２において、妥当性判定部２０６は、Ｓ５０８で選択した録画設定情報に対応する録画映像情報に録画設定に対する録画欠落期間の情報が記録されている場合、以下の処理を行う。即ち、妥当性判定部２０６は、Ｓ５０８で選択した録画設定情報、Ｓ５１１で特定した期間等に基づいて、その録画欠落期間が録画するよう設定された期間内に含まれるかどうかを判定する。より具体的には、妥当性判定部２０６は、Ｓ５１１で特定された期間内に録画映像の欠落が発生している期間が含まれる場合、その録画映像の欠落が録画するよう設定された期間内に発生した可能性があると判定して、判定結果を「Ｗａｒｎｉｎｇ」とする。
Ｓ５１３において、妥当性判定部２０６は、Ｓ５０６及びＳ５１２での判定結果を妥当性判定結果として記録する。
【００４５】
録画部２０４は、Ｓ５０６、Ｓ５１２等で妥当性判定部２０６により、録画映像の欠落が「Ｗａｒｎｉｎｇ」と判定された場合、以下の処理を行うこととしてもよい。即ち、録画部２０４は、録画映像の欠落防止のために、撮影装置１０１の撮影している映像の録画映像を、補助記憶装置１１２等に記録することとしてもよい。その場合、表示装置１０３は、録画された録画映像が、「Ｗａｒｎｉｎｇ」と判定された欠落期間に録画された映像であることを示す情報を表示部に表示することとしてもよい。
録画映像の欠落が「Ｗａｒｎｉｎｇ」と判定された場合、撮影装置１０１からの配信映像を録画することで、録画部２０４は、録画データの欠落を防止することができる。
また、表示装置１０３は、Ｓ５０６、Ｓ５１２等で妥当性判定部２０６により、録画映像の欠落が「Ｗａｒｎｉｎｇ」と判定された場合、撮影装置１０１の撮影映像を録画するか否かの選択に利用される選択画面を、表示部に表示することとしてもよい。その場合、表示された選択画面を介したユーザの操作に基づいて、撮影装置１０１の撮影映像を録画することが選択された場合、録画部２０４は、撮影装置１０１の撮影している映像の録画映像を、補助記憶装置１１２等に記録することとしてもよい。
録画映像の欠落が「Ｗａｒｎｉｎｇ」と判定された場合、表示装置１０３は、撮影装置１０１の撮影映像を録画するか否かの選択に利用される選択画面を、表示部に表示することで、以下のことができる。即ち、表示装置１０３は、ユーザに対して、録画データの欠落を防止するため、配信映像を録画するか否かを選択させることができる。
【００４６】
図１１は、表示制御部２０７が表示装置１０３の表示部に表示する画面の一例を示す図である。
画面１００１は、撮影装置１０１や録画装置１０２が配信する映像や、録画映像情報を表示するウィンドウ画面である。
タイムライン表示画面１００２は、それぞれカメラ１、カメラ２、カメラ３の録画映像についてのタイムライン表示を含み、時間軸上に録画映像の有無及び録画映像の欠落箇所についての妥当性判定結果等を表示している。
期間１００３は、図５における識別子７０１が「録画５」の録画映像情報に対応する録画映像が存在する期間である。
【００４７】
期間１００４は、図５における識別子７０１が「録画６」の録画映像情報に対応する録画映像が存在する期間である。
期間１００５は、図５における識別子７０１が「録画９」の録画映像情報に対応する録画映像が存在する期間である。
期間１００６は、図５における識別子７０１が「録画４」の録画映像情報に対応する録画映像が存在する期間である。
期間１００７は、図５における識別子７０１が「録画５」の録画映像情報に対応する録画映像の欠落が発生した期間である。期間１００７における妥当性判定部２０６の判定結果は、図７の識別子９０１が「結果１」である妥当性判定結果となり、判定結果「Ｅｒｒｏｒ」となる。
【００４８】
期間１００８は、図５における識別子７０１が「録画７」の録画映像情報に対応する録画映像の欠落が発生した期間である。期間１００８における妥当性判定部２０６の判定結果は、図７の識別子９０１が「結果２」である妥当性判定結果となり、判定結果「Ｅｒｒｏｒ」となる。
期間１００９は、図５における識別子７０１が「録画１０」の録画映像情報に対応する録画映像の欠落が発生した期間である。期間１００９における妥当性判定部２０６の判定結果は、図７の識別子９０１が「結果４」である妥当性判定結果となり、判定結果「Ｅｒｒｏｒ」となる。
期間１０１０は、通知装置から通知装置停止通知イベントが通知された時刻から開始される期間である。期間１０１０における妥当性判定部２０６の判定結果は、図７の識別子９０１が「結果３」である妥当性判定結果となり、判定結果「Ｗａｒｎｉｎｇ」となる。
【００４９】
表示制御部２０７は、期間１００３〜１００６を、カメラのフィルム模様で表示することで、録画映像が存在していることを示すものとする。表示制御部２０７は、期間１００７〜１００９を、格子模様で表示することで、録画するよう設定された期間内に発生した録画映像の欠落であることを示すものとする。表示制御部２０７は、期間１０１０を、水玉模様で表示することで、録画するよう設定された期間内に発生した可能性がある録画映像の欠落であることを示すものとする。
このように、表示制御部２０７は、期間１００７〜１０１０を、期間１００３〜１００６と異なる模様で表示することで強調表示するため、視認するユーザが期間１００７〜１０１０がどのような期間であるのかを容易に把握できるようになる。
なお、表示制御部２０７は、期間１００７〜１０１０を、期間１００３〜１００６と異なる色で表示することで強調表示してもよいし、期間１００３〜１００６と異なる色濃度で表示することで強調表示することとしてもよい。また、表示制御部２０７は、期間１００７〜１０１０を点滅表示することで強調表示することとしてもよい。
【００５０】
以上、本実施形態の処理により、録画システム１００は、録画データの有無の妥当性を判定し、判定結果を表示することができる。それにより、ユーザは、問題個所に容易に気づくことができる。
つまり、本実施形態の処理によれば、録画データの有無の妥当性を容易に判断可能にすることができる。なお上記の実施形態の説明では、録画装置１０２が録画データの有無の妥当性を判定する構成を中心に説明したが、この例に限らない。例えば、録画装置１０２とは異なる情報処理装置が、録画装置１０２における録画データの有無の妥当性を判定し、その結果を表示画面上に表示させるような構成でもよい。
【００５１】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読み出し実行する処理でも実現可能である。また、１以上の機能を実現する回路（例えば、ＡＳＩＣ）によっても実現可能である。
【００５２】
以上、本発明の好ましい実施形態について詳述したが、本発明は係る特定の実施形態に限定されるものではない。
例えば、上述した録画装置のソフトウェア構成の一部又は全てをハードウェアとして録画装置に実装してもよい。
【符号の説明】
【００５３】
１０１  撮影装置、１０２  録画装置、１０３  表示装置、１０４  通知装置
【図１】
2017011620.tif 000003
【図２】
2017011620.tif 000004
【図３】
2017011620.tif 000005
【図４】
2017011620.tif 000006
【図５】
2017011620.tif 000007
【図６】
2017011620.tif 000008
【図７】
2017011620.tif 000009
【図８】
2017011620.tif 000010
【図９】
2017011620.tif 000011
【図１０】
2017011620.tif 000012
【図１１】
2017011620.tif 000013